(57)【特許請求の範囲】
【請求項１】
第１のグループの縦糸群（１）の第１の領域（１）と、前記第１の領域に並置された第２のグループの縦糸群（２）の第２の領域（２）と、を含み、前記第１のグループの縦糸群（１）は前記第２のグループの縦糸群（２）よりも高い伸張性を有し、さらに導電手段を含む第３のグループの縦糸群（３）を前記第１の領域内に含むことを特徴とする自動車シートベルト用の帯状織物。
【請求項２】
前記第１のグループの縦糸群（１）は導電手段（４）を含むことを特徴とする請求項１記載の自動車シートベルト用の帯状織物。
【請求項３】
前記導電手段（４）の表面が電気的に絶縁されていることを特徴とする請求項２記載の自動車シートベルト用の帯状織物。
【請求項４】
前記導電手段（４）の表面にはニスが塗られていることを特徴とする請求項３記載の自動車シートベルト用の帯状織物。
【請求項５】
前記導電手段（４）は前記第１縦糸群（１）及び第３の縦糸群（３）の縦糸（６；３）の各々の周囲に巻回されていることを特徴とする請求項４記載の自動車シートベルト用の帯状織物。
【請求項６】
前記巻回のピッチＳが所定の値にセットされていることを特徴とする請求項５記載の自動車シートベルト用の帯状織物。
【請求項７】
短繊維共通ファイバを形成している縦糸群内に前記導電手段としてカールしたワイヤが配置されていることを特徴とする請求項４記載の自動車シートベルト用の帯状織物。
【請求項８】
前記導電手段を含む前記縦糸群は前記帯状織物の内部に収容されていることを特徴とする請求項１乃至７のうちの１に記載の自動車シートベルト用の帯状織物。
【請求項９】
マイクロフォン、センサー、コントローラなどの１つ以上の電子デバイスが前記第１のグループの縦糸群の領域内の１つ以上の位置に設けられていることを特徴とする請求項１乃至８のうちの１に記載の自動車シートベルト用の帯状織物。
【発明の詳細な説明】
【技術分野】
【０００１】
本発明は自動車シートベルト用の帯状織物に関する。
【背景技術】
【０００２】
自動車のシートベルトに使用される帯状織物は多くの刊行物に掲載されており、また実施されて広く公知となっている。このような帯状織物の１箇所以上に複数の装置を取り付ける場合、かかる装置がどのように取り付けられるかによって帯状織物の材料強度が低下してしまうのである。つまり、帯状織物の引っ張り強度はその全幅に亘って要求される要求範囲内に達し得ないのである。例えば、このような装置としては、アタッチメントの位置を越えてバックルを移動しないようにせしめる保持ボタンなどがある。更に、１箇所以上でシートベルトに取り付けられる自動車用ハンドオフ・電話システムのマイクロフォンなどもある。このアレンジメントにおいて、アタッチメントは、帯状織物の引っ張り強度を減じる程度にまで帯状織物の糸、特に縦糸群にダメージを与えるのである。
【発明の開示】
【発明が解決しようとする課題】
【０００３】
本発明の目的は、帯状織物の提供であって、特に、帯状織物のランに取り付けられる装置のアタッチメントに適した自動車シートベルト用の帯状織物の提供であって、従来技術における公知の不利益を除去し若しくは少なくともこれを大幅に減じたシートベルトの提供である。
【課題を解決するための手段】
【０００４】
上記目的は、請求項１から導かれる帯状織物によって達成される。高い伸張性を有する縦糸群の第１のグループは、取り付けられる装置の位置に利点を与える。対応する縦糸群のより高い伸張性故に、取り付けられる装置によって縦糸群の引っ張り強度が低下するが、これは織物に応力が加えられたときに縦糸群の両方のグループが必要とされる引っ張り強度を示すことで補償されるのである。このアレンジメントにおいて、第１のグループの縦糸群及び第２のグループの縦糸群の伸張差は、引張り応力に曝されると全ての糸が一様に引張力と逆の力を与えるように選択される。例えば、本発明による帯状織物にマイクロフォンのような装置をレーザ溶着で取り付けたとすると、第１のグループの縦糸群が劣化してしまうが、第１のグループの縦糸群の選択された高い伸張性の故に引っ張り強度の低下を補償できてこの劣化は帯状織物の適当な機能に影響を及ぼさないのである。
【０００５】
本発明の実施例の１つの有利な点において、帯状織物は、導電手段を有する第３のグループの縦糸群を含む。これは、第１のグループの縦糸群の向きにおいて帯状織物の所定位置に電気デバイスを取付けることを可能とするのである。例えば、これらの電気デバイスは、マイクロフォン、センサー、コントローラ等である。
【０００６】
本発明の実施例の更なる有利な点において、第１のグループの縦糸群は、高い伸張性を有する縦糸群に第２の機能、すなわち電気導電性を与えるための導電手段を有する。高められた伸張性と導電性との組合せは、全体として本発明による帯状織物の構造を単純化するのである。
【０００７】
本発明の実施例の更なる他の有利な点において、導電手段はその表面で電気的に絶縁されていることである。ここで図示したように、横糸方向に間隔をあけて電気導電縦糸群を等間隔に配置するのではなく、縦糸群を個々に絶縁している故に電気導電手段は互いに非常に近接配置させることが出来るのである。電気導電手段を被覆するニスは、カラーマッチしたニス・コーティングを達成する点において非常に費用対効果及び信頼性に優れていることに気づくであろう。
【０００８】
本発明の更なる実施例の利点において、導電手段が縦糸群によって巻回されて帯状織物が構成されていることである。特に帯状織物の収縮及び／又は伸張において、導電手段を巻回する縦糸群の設計が大なる効果を発揮する。本発明による縦糸群、例えば、矩形の横断面を有する導線の周囲を螺旋状に巻きつけられた導電手段がこの導電手段を外側方向に引きはがす引っ張り応力を全く与えられることなくその長手方向に縦糸群の長手方向の移動を与えるのである。巻きのピッチは特定の取り付けられた装置に対して都合よく調整され得る。第１グループ又は第３グループの縦糸群に配置される導電手段の構成の１つの有利な選択肢として、微細にカールさせたワイヤを短繊維共通ファイバを形成するように縦糸群内に導電手段として配置することで達成される。導電手段のこの設計により、導電率を劣化させることなしに収縮及び／又は伸張を補償し得るのである。
【０００９】
更なる実施例の他の利点において、導電手段を含む縦糸群は、帯状織物の内部においていわば「隠されて」いるのである。これにより、導電手段はもはや視認できず、他方、摩耗や腐食から保護されるといった大なる効果を有するのである。
【００１０】
本発明による帯状織物の付加的な更なる実施例において、１つ以上の電子デバイス、特にマイクロフォン、センサー、コントローラなどが縦糸群の所定領域の１箇所以上の場所に取り付けられる。これは電子デバイスを帯状織物の縦方向ラン内のいずれの場所にも取り付け可能な装置とするものである。例えば、ハンドオフ電話や通常の電話、ディクタホンのためのマイクロフォンや、若しくは、自動車の運転者の脈拍や体温などの健康状態を観察するための装置、若しくは、照明器具やスピーカなどである。
【００１１】
更なる効果及び特徴は、サブクレームから読み取られる。
【００１２】
本発明のより良い認識のために、図を参照しつつ実施例によって明らかにされるであろう。
【発明を実施するための最良の形態】
【００１３】
図１の幅Ｂを有する帯状織物１０の単純化した図を参照すると、一定の伸張性を有する縦糸群２が外側部分に亘って走っている。なお、ここで図示した縦糸群２の数は図示の目的のために選択されている。一方、ここで実施例として選択された中央部分では、縦糸群２よりも大なる伸張性を有する縦糸群１が走っている。図１に示した本発明による帯状織物１０の短い部分は、実施例として選択されたように、より高い伸張性のランを有する縦糸群１を含む非常に広い中間部分を有するのである。かかる図は明瞭さのために拡大されて図示されていることを理解されたい。実際は、かかる帯状織物は、図１に示すように縦糸群１及び縦糸群２よりも非常に細い幅Ｂに数百もの縦糸を含むのである。帯状織物１０の中央部に示される参照番号５によって識別される円は、そこに与えられる装置の方向を示すものであって、これは、単に大きさを示すものである。
【００１４】
図２を参照すると、図１に既に示した帯状織物１０が図示されている。しかしながら、マイクロフォン５が高い伸張性を有する縦糸群１の領域の中央部にシンボリックに図示されている。マイクロフォン５は、導電手段４を含む縦糸群１のグループに属する縦糸群６を通して接続されている。縦糸群１と同じ伸張性を有する２本の縦糸６が実施例として示されているが、追加的に、以下に詳細が与えられる導電手段４を与えられている。選択肢として、図２の実施例に示されたマイクロフォン５は縦糸群１の間に付加的に挿入されて示されている縦糸群３を通して電力を供給され得る。これは、縦糸群３がどのように導電手段を含むかを図示することを目的としており、ここでは強調しないが、必ずしも縦糸群１と同じ断面積や断面積以外のパラメータを有していなければならないわけではない。
【００１５】
図３を参照すると、縦糸３又は６は、拡大されたスケールで図示されており、後者は縦糸群１のグループに属している。短い不連続部分として図３に示された縦糸の構造は特徴を示すために図示されている。図３の縦糸６、３の左の略図に示すように、縦糸コア８は矩形の横断面を具備しており、例えば、コア８はＰＥＴからなる。一方、導電手段４は、適当な導電性の合金から選択される。
【００１６】
図３に示す付加的な有利な特徴において、導電手段４は、例えば、ニスからなる絶縁部９を具備している。ここでも大きさは概略であって、単に特徴的に描画されているにすぎない。図３に示すように、導電手段４はピッチＳで巻回されており、これはバンドとして構成される導電手段４の幅と個々の巻き間の間隔ａとからなる。本発明による帯状織物が製造工程の後若しくは製造工程中に意図的に伸長され又は収縮されるかによって、収縮せしめられたときにはより大なるピッチＳが選択され、伸長せしめられたときにはより小なるピッチＳが選択されて、導電手段４のつぶれ又は破断がなくなるように間隔がセットされるのである。
【００１７】
上記した図において、本発明による帯状織物１０の横糸は図を理解しやすくするために図示されていないことを当業者であれば直ちに認識されるであろう。しかしながら、横糸は通常、全く見えないため、縦糸群が帯状織物の実際の外観を決定するのである。図２に示される方法とは逆に、概略的に図示された導電手段を有する縦糸群は、帯状織物の内部に収容されて実際に実施化される。図２において、先ほどとは逆にその内部に輪郭だけで図示された導電手段を有する縦糸群は帯状織物の内部に隠されて収容されているため、１つには見えないように、また他には破壊から守られるのである。ここで説明したような実施例の特徴において、各場合の縦糸群２は導電手段とともに示されている。しかしながら、実際にはこの種の縦糸群は処理される電気信号の特性及びその量に依存して与えられ得る。導電手段を有する縦糸群によって得られる導電体は対応する電気デバイスを電気的に接続するための所定の領域内においてのみ外部表面に持ち出される。例えばマイクロフォンの如き電気デバイスのキャップ又はハウジングはレーザウェルディング手段によって取り付けられ得る。しかしながら、すでに繰り返し強調したように、本発明による帯状織物の構成は、完成した帯状織物の幅に亘って縦糸群の均一な引張強度を達成するのである。本発明による帯状織物の片側の表面だけでなく両側の表面にもデバイスを与えることができることにも注目されたい。
【００１８】
織物に含まれる導電性縦糸群を有する本発明による自動車シートベルトは、例えば、脈拍、血圧、体温などの自動車の利用者の健康データをモニターするための装置への応用にも適するのである。
【００１９】
これとは別に、体格、体重などのような自動車利用者の現在の位置や姿勢を検知する検知することができて、衝突した際のその状況に合わせて車両内部のエアーバッグの展開を調整するといったような位置技術以外の利点がある。
【００２０】
更に他の可能性は、本発明による帯状織物に追加の機能である。すなわち性能をチェックする機能、例えば、消耗などの経年劣化による置換／交換の必要性のシグナルを与えるのである。
【図面の簡単な説明】
【００２１】
【図１】本発明による帯状織物を拡大スケールで示した平面図である。
【図２】マイクロフォンを取り付けた以外は図１に示した帯状織物と同じである縦糸群を示す図である。
【図３】導電手段を巻回した縦糸を拡大スケールで示した図である。
【符号の説明】
【００２２】
１，２，６ 縦糸群
４ 導電手段
５ マイクロフォン
１０ 帯状織物
【図１】
0004503019.tif 000002
【図２】
0004503019.tif 000003
【図３】
0004503019.tif 000004